(57)【要約】本発明によれば、マルチメディアのブロードキャスト／マルチキャストサービスなどの一つ以上のポイントツーマルチポイントサービスを一つ以上の移動体端末またはユーザー端末(ＵＥ)に提供する方法及び装置が提供される。一つ以上の移動体端末がサービスに参加した後に他のネットワーク構成要素により管理される移動体通信システムの新たな領域に移動するとき、移動した端末がサービスを持続的に受信できるようにして、ネットワークリソースを保護して移動体通信システムの効率を向上させる方式でネットワーク構成要素の間の情報が伝送される。【選択図】図６
2007507972.tif 000002
【特許請求の範囲】
【請求項１】
特定の移動体端末にポイントツーマルチポイントサービスを提供する方法であって、
第１のネットワーク制御装置により管理される第１のセルから第２のネットワーク制御装置により管理される第２のセルに前記特定の移動体端末が移動するとき、前記特定の移動体端末が参加したポイントツーマルチポイントサービスの各々を識別する情報を含むポイントツーマルチポイントサービス・アタッチ要求メッセージを前記第１のネットワークから前記第２のネットワークに伝送する段階と、
前記アタッチ要求メッセージの情報によって、前記特定の移動体端末に対してと前記アタッチ要求メッセージにより識別されたポイントツーマルチポイントサービスの各々に対してポイントツーマルチポイントサービス・アタッチプロセスを実行する段階と、
を含むことを特徴とする方法。
【請求項２】
前記ポイントツーマルチポイントサービス・アタッチプロセスは、前記第２のネットワーク制御装置で実行されることを特徴とする請求項１に記載の方法。
【請求項３】
前記情報は、前記特定の移動体端末に対してポイントツーマルチポイントサービスが進行中であることを示すことを特徴とする請求項１に記載の方法。
【請求項４】
前記情報は、前記特定の移動体端末に対してポイントツーマルチポイントサービスが進行中ではないことを示すことを特徴とする請求項１に記載の方法。
【請求項５】
前記ポイントツーマルチポイントサービス・アタッチ要求メッセージは、前記第２のセルの識別子と前記特定の移動体端末の識別子をさらに含むことを特徴とする請求項１に記載の方法。
【請求項６】
前記ポイントツーマルチポイントサービス・アタッチプロセスは、前記アタッチ要求メッセージにより識別されたポイントツーマルチポイントサービスの各々に対して、前記第２のネットワーク制御装置により管理される、接続された移動体端末のリストに前記特定の移動体端末の識別子を追加する段階を含むことを特徴とする請求項５に記載の方法。
【請求項７】
前記接続された移動体端末のリストは、前記第２のネットワーク制御装置を通じてコアネットワークと制御データを交換するために接続する移動体端末が何かを示すことを特徴とする請求項６に記載の方法。
【請求項８】
前記特定の移動体端末が前記第２のセルから離れると、前記第１のネットワーク制御装置から前記第２のネットワーク制御装置に、前記特定の移動体端末が参加したポイントツーマルチポイントサービスの各々を識別する情報を含むポイントツーマルチポイントサービス分離要求メッセージを伝送する段階と、
前記第２のネットワーク制御装置では、前記分離要求メッセージの情報によって、前記特定の移動体端末に対して進行中であり、前記分離要求メッセージにより識別されたポイントツーマルチポイントサービスの各々に対するポイントツーマルチポイントサービス分離プロセスを実行する段階と、をさらに含むことを特徴とする請求項１に記載の方法。
【請求項９】
前記ポイントツーマルチポイントサービス分離要求メッセージは、前記特定の移動体端末が移動した第３のセルの識別子と前記特定の移動体端末の識別子をさらに含むことを特徴とする請求項８に記載の方法。
【請求項１０】
前記ポイントツーマルチポイント分離プロセスは、前記分離要求メッセージにより識別されたポイントツーマルチポイントサービスの各々に対して、前記第２のネットワーク制御装置により管理される、接続された移動体端末のリストから前記特定の移動体端末の識別子を除去する段階を含むことを特徴とする請求項９に記載の方法。
【請求項１１】
前記ポイントツーマルチポイントサービス分離プロセスは、前記第３のセルで第３のネットワーク制御装置を通じてコアネットワークとの制御データ交換のための接続が可能な場合にだけ実行されることを特徴とする請求項８に記載の方法。
【請求項１２】
前記ポイントツーマルチポイントサービス・アタッチプロセスは、前記第２のネットワークを通じてコアネットワークとの制御データ交換のための接続が可能な場合にだけ実行されることを特徴とする請求項１に記載の方法。
【請求項１３】
前記第１のネットワーク制御装置と第２のネットワーク制御装置は、汎用移動体通信システム（ＵＭＴＳ）の一部であることを特徴とする請求項１に記載の方法。
【請求項１４】
少なくとも一つの移動体端末にポイントツーマルチポイントサービスを提供する方法であって、
各々特定のポイントツーマルチポイントサービスに参加し、第１のネットワーク制御装置により管理される第１のセルから第２のネットワーク制御装置により管理される第２のセルに移動する移動体端末を各々識別する情報を含むポイントツーマルチポイントサービス・アタッチ要求メッセージを、前記第１のネットワーク制御装置から前記第２のネットワーク制御装置に伝送する段階と、
前記アタッチ要求メッセージの情報によって、前記特定のポイントツーマルチポイントサービスと前記アタッチ要求メッセージにより識別された移動体端末の各々に対してポイントツーマルチポイントサービス・アタッチプロセスを実行する段階と、
を含むことを特徴とする方法。
【請求項１５】
前記ポイントツーマルチポイントサービス・アタッチプロセスは、前記第２のネットワーク制御装置で実行されることを特徴とする請求項１４に記載の方法。
【請求項１６】
前記情報は、前記特定のポイントツーマルチポイントサービスが進行中ではないとき、第１のセルから第２のセルに移動した移動体端末を識別することを特徴とする請求項１４に記載の方法。
【請求項１７】
前記ポイントツーマルチポイントサービス・アタッチ要求メッセージは、コアネットワークから前記特定のポイントツーマルチポイントサービスに関するセッション開始コマンドを受信して伝送されることを特徴とする請求項１４に記載の方法。
【請求項１８】
前記ポイントツーマルチポイントサービス・アタッチ要求メッセージは、コアネットワークから前記特定のポイントツーマルチポイントサービスに関するセッション開始コマンドを受信する前に伝送されることを特徴とする請求項１４に記載の方法。
【請求項１９】
前記アタッチ要求メッセージの情報は、前記特定のポイントツーマルチポイントサービスが進行中であるとき、前記第１のセルから前記第２のセルに移動した移動体端末を識別することを特徴とする請求項１４に記載の方法。
【請求項２０】
前記ポイントツーマルチポイントサービス・アタッチ要求メッセージは、前記第２のセルの識別子と前記特定のポイントツーマルチポイントサービスの識別子をさらに含むことを特徴とする請求項１４に記載の方法。
【請求項２１】
前記ポイントツーマルチポイントサービス・アタッチプロセスは、前記アタッチ要求メッセージの情報によって識別された移動体端末を、前記ポイントツーマルチポイントサービに対して前記第２のネットワーク制御装置により管理される、接続された移動体端末のリストに追加する段階を含むことを特徴とする請求項２０に記載の方法。
【請求項２２】
前記接続された移動体端末のリストは、前記第２のネットワーク制御装置を通じてコアネットワークと制御データを交換するために接続する移動体端末が何かを示すことを特徴とする請求項２１に記載の方法。
【請求項２３】
前記アタッチ要求メッセージの情報によって識別された少なくとも一つの移動体端末が前記第２のセルから離れると、前記第１のネットワーク制御装置から前記第２のネットワーク制御装置に前記少なくとも一つの移動体端末を識別する情報を含むポイントツーマルチポイント分離要求メッセージを伝送する段階と、
前記第２のネットワーク制御装置では、前記分離要求メッセージの情報によって、前記特定のポイントツーマルチポイントサービスと前記分離要求メッセージにより識別された少なくとも一つの移動体端末に対してポイントツーマルチポイントサービス分離プロセスを実行する段階と、
をさらに含むことを特徴とする請求項１４に記載の方法。
【請求項２４】
前記ポイントツーマルチポイントサービス分離要求メッセージは、前記少なくとも一つの移動体端末が移動した第３のセルの識別子と前記少なくとも一つの移動体端末の識別子をさらに含むことを特徴とする請求項２３に記載の方法。
【請求項２５】
前記ポイントツーマルチポイントサービス分離プロセスは、前記特定のポイントツーマルチポイントサービスに対して、前記第２のネットワーク制御装置により管理される、接続された移動体端末のリストから前記少なくとも一つの移動体端末の識別子を除去する段階を含むことを特徴とする請求項２４に記載の方法。
【請求項２６】
前記ポイントツーマルチポイントサービス分離プロセスは、前記第３のセルで第３のネットワーク制御装置を通じてコアネットワークとの制御データ交換のための接続が可能な場合にだけ実行されることを特徴とする請求項２３に記載の方法。
【請求項２７】
前記ポイントツーマルチポイントサービス・アタッチプロセスは、前記第２のネットワーク制御装置を通じてコアネットワークとの制御データ交換のための接続が可能な場合にだけ実行されることを特徴とする請求項１４に記載の方法。
【請求項２８】
前記第１のネットワーク制御装置と前記第２のネットワーク制御装置は、ＵＭＴＳの一部であることを特徴とする請求項１４に記載の方法。
【請求項２９】
少なくとも一つのポイントツーマルチポイントサービスを特定の移動体端末に提供するシステムであって、
前記少なくとも一つのポイントツーマルチポイントサービスを提供するコアネットワークと、
前記コアネットワークとインターフェースしながら少なくとも第１のセルを管理する第１のネットワーク制御装置と、
前記コアネットワークとインターフェースしながら少なくとも第２のセルを管理する第２のネットワーク制御装置と、
特定の移動体端末と、を含み、
前記第１のネットワーク制御装置は、前記特定の移動体端末が前記第１のセルに位置するとき、前記少なくとも一つのポイントツーマルチポイントサービスを前記特定の移動体端末に提供し、前記特定の移動体端末が前記第１のセルから前記第２のセルに移動するとき、前記第２のネットワーク制御装置に前記特定の移動体端末が参加したポイントツーマルチポイントサービスを各々識別する情報を含むポイントツーマルチポイントサービス・アタッチ要求メッセージを伝送し、前記第２のネットワーク制御装置は、前記アタッチ要求メッセージを受信し、前記アタッチ要求メッセージの情報によって、前記アタッチ要求メッセージにより識別されたポイントツーマルチポイントサービスの各々に対してポイントツーマルチポイントサービスを実行することを特徴とするシステム。
【請求項３０】
前記情報は、前記特定の移動体端末に対して進行中であるポイントツーマルチポイントサービスが何かを示すことを特徴とする請求項２９に記載のシステム。
【請求項３１】
前記情報は、前記特定の移動体端末に対して進行中ではないポイントツーマルチポイントサービスが何かを示すことを特徴とする請求項２９に記載のシステム。
【請求項３２】
前記ポイントツーマルチポイントサービス・アタッチ要求メッセージは、前記第２のセルの識別子と前記特定の移動体端末の識別子をさらに含むことを特徴とする請求項２９に記載のシステム。
【請求項３３】
前記ポイントツーマルチポイントサービス・アタッチプロセスは、前記特定の移動体端末の識別子を、前記アタッチ要求メッセージにより識別された前記ポイントツーマルチポイントサービスの各々に対して、前記第２のネットワーク制御装置により管理される、接続された移動体端末のリストに追加する段階を含むことを特徴とする請求項３２に記載のシステム。
【請求項３４】
前記第１のネットワーク制御装置は、前記特定の移動体端末が前記第２のセルから離れると、前記特定の移動体端末が参加したポイントツーマルチポイントサービスの各々を識別する情報を含むポイントツーマルチポイントサービス分離要求メッセージを前記第２のネットワーク制御装置に伝送し、前記第２のネットワーク制御装置は、前記分離要求メッセージを受信し、前記分離要求メッセージの情報によって、前記特定の移動体端末に対して進行中であり、前記分離要求メッセージにより識別された前記ポイントツーマルチポイントサービスの各々に対してポイントツーマルチポイントサービス分離プロセスを実行することを特徴とする請求項２９に記載のシステム。
【請求項３５】
前記ポイントツーマルチポイントサービス分離要求メッセージは、前記特定の移動体端末が移動した第３のセルの識別子と前記特定の移動体端末の識別子をさらに含むことを特徴とする請求項３４に記載のシステム。
【請求項３６】
前記ポイントツーマルチポイント分離プロセスは、前記分離要求メッセージにより識別されたポイントツーマルチポイントサービスの各々に対して、前記第２のネットワーク制御装置により管理される、接続された移動体端末のリストから前記特定の移動体端末の識別子を除去することを特徴とする請求項３５に記載のシステム。
【請求項３７】
前記第２のネットワーク制御装置は、前記第３のセルで第３のネットワーク制御装置を通じて前記コアネットワークとの制御データ交換のための接続が可能な場合にだけ前記ポイントツーマルチポイントサービス分離プロセスを実行することを特徴とする請求項３５に記載のシステム。
【請求項３８】
前記第２のネットワーク制御装置は、前記第２のネットワーク制御装置を通じて前記コアネットワークとの制御データ交換のための接続が可能な場合にだけ前記ポイントツーマルチポイントサービス・アタッチプロセスを実行することを特徴とする請求項２９に記載のシステム。
【請求項３９】
少なくとも一つの移動体端末に特定のポイントツーマルチポイントサービスを提供するシステムであって、
前記特定のポイントツーマルチポイントサービスを提供するコアネットワークと、
前記コアネットワークとインターフェースしながら少なくとも第１のセルを管理する第１のネットワーク制御装置と、
前記コアネットワークとインターフェースしながら少なくとも第２のセルを管理する第２のネットワーク制御装置と、
少なくとも一つの移動体端末と、を含み、
前記第１のネットワーク制御装置は、前記少なくとも一つの移動体端末が前記第１のセルに位置するとき前記少なくとも一つの移動体端末に前記特定のポイントツーマルチポイントサービスを提供し、前記特定のポイントツーマルチポイントサービスに参加して前記第１のセルから前記第２のセルに移動した前記少なくとも一つの移動体端末の各々を識別する情報を含むポイントツーマルチポイントサービス・アタッチ要求メッセージを前記第２のネットワーク制御装置に伝送し、前記第２のネットワーク制御装置は、前記アタッチ要求メッセージを受信し、前記アタッチ要求メッセージの情報によって、前記特定のポイントツーマルチポイントサービスと前記アタッチ要求メッセージにより識別された少なくとも一つの移動体端末の各々に対してポイントツーマルチポイントサービス・アタッチプロセスを実行することを特徴とするシステム。
【請求項４０】
前記情報は、前記特定のポイントツーマルチポイントサービスが進行中ではないとき、前記第１のセルから前記第２のセルに移動した移動体端末を識別することを特徴とする請求項３９に記載のシステム。
【請求項４１】
前記ポイントツーマルチポイントサービス・アタッチ要求メッセージは、前記コアネットワークから前記特定のポイントツーマルチポイントサービスに関するセッション開始コマンドを受信して伝送されることを特徴とする請求項３９に記載のシステム。
【請求項４２】
前記ポイントツーマルチポイントサービス・アタッチ要求メッセージは、前記コアネットワークから前記特定のポイントツーマルチポイントサービスに関するセッション開始コマンドを受信する前に伝送されることを特徴とする請求項３９に記載のシステム。
【請求項４３】
前記情報は、前記特定のポイントツーマルチポイントサービスが進行中であるとき、前記第１のセルから前記第２のセルに移動した移動体端末を識別することを特徴とする請求項３９に記載のシステム。
【請求項４４】
前記ポイントツーマルチポイントサービス・アタッチ要求メッセージは、前記第２のセルの識別子と前記特定のポイントツーマルチポイントサービスの識別子をさらに含むことを特徴とする請求項３９に記載のシステム。
【請求項４５】
前記ポイントツーマルチポイントサービス・アタッチプロセスは、前記特定のポイントツーマルチポイントサービスに対して前記第２のネットワーク制御装置により管理される、接続された移動体端末のリストに前記アタッチ要求メッセージの情報により識別される前記少なくとも一つの移動体端末の各々を追加する段階を含むことを特徴とする請求項４４に記載のシステム。
【請求項４６】
前記第１のネットワーク制御装置は、前記アタッチ要求メッセージの情報によって識別された少なくとも一つの移動体端末が前記第２のセルから離れると、前記少なくとも一つの移動体端末を識別する情報を含むポイントツーマルチポイントサービス分離要求メッセージを前記第２のネットワーク制御装置に伝送し、前記第２のネットワーク制御装置は、前記分離要求メッセージを受信し、前記分離要求メッセージの情報によって、前記特定のポイントツーマルチポイントサービスと前記分離要求メッセージにより識別された少なくとも一つの移動体端末に対してポイントツーマルチポイントサービス分離プロセスを実行することを特徴とする請求項３９に記載のシステム。
【請求項４７】
前記ポイントツーマルチポイントサービス分離要求メッセージは、前記少なくとも一つの移動体端末が移動した第３のセルの識別子と前記少なくとも一つの移動体端末の識別子をさらに含むことを特徴とする請求項４６に記載のシステム。
【請求項４８】
前記ポイントツーマルチポイントサービス分離プロセスは、前記特定のポイントツーマルチポイントサービスに対して前記第２のネットワーク制御装置により管理される、接続された移動体端末のリストから前記少なくとも一つの移動体端末の識別子を除去する段階を含むことを特徴とする請求項４７に記載のシステム。
【請求項４９】
前記第２のネットワーク制御装置は、前記第３のセルで前記第３のネットワーク制御装置を通じて前記コアネットワークとの制御データ交換のための接続が可能な場合にだけ前記ポイントツーマルチポイントサービス分離プロセスを実行することを特徴とする請求項４６に記載のシステム。
【請求項５０】
前記第２のネットワーク制御装置は、前記第２のネットワーク制御装置を通じて前記コアネットワークとの制御データ交換のための接続が可能な場合にだけ前記ポイントツーマルチポイントサービス・アタッチプロセスを実行することを特徴とする請求項２９に記載のシステム。
【請求項５１】
少なくとも一つの移動体端末に少なくとも一つのポイントツーマルチポイントサービスを提供する無線ネットワークサブシステムであって、
ポイントツーマルチポイントサービス・アタッチ要求メッセージを第２の無線ネットワークサブシステムに伝送する送信器と、
前記第２の無線ネットワークサブシステムからメッセージを受信する受信器と、
前記特定の移動体端末が参加したポイントツーマルチポイントサービスを各々識別する情報を記憶する記憶装置と、
指定された領域内で前記特定の移動体端末を管理し、前記特定の移動体端末が前記指定された領域から前記第２のネットワークサブシステムにより管理される領域にいつ移動するかを判定し、前記特定の移動体端末が参加したポイントツーマルチポイントサービスの各々を識別する情報を含むポイントツーマルチポイントサービス・アタッチ要求メッセージを生成する制御装置と、
を含むことを特徴とする無線ネットワークサブシステム。
【請求項５２】
前記アタッチ要求メッセージの情報は、前記特定の移動体端末に対して進行中であるポイントツーマルチポイントサービスが何かを示すことを特徴とする請求項５１に記載の無線ネットワークサブシステム。
【請求項５３】
前記アタッチ要求メッセージの情報は、前記特定の移動体端末に対して進行中ではないポイントツーマルチポイントサービスが何かを示すことを特徴とする請求項５１に記載の無線ネットワークサブシステム。
【請求項５４】
前記制御装置は、前記ポイントツーマルチポイントサービス・アタッチ要求メッセージに前記第２の無線ネットワークサブシステムにより管理される領域の識別子と前記特定の移動体端末の識別子を含むことを特徴とする請求項５１に記載の無線ネットワークサブシステム。
【請求項５５】
前記制御装置は、前記特定の移動体端末が前記第２の無線ネットワークサブシステムにより管理される領域から離れると、前記第２のネットワークサブシステムにポイントツーマルチポイントサービス分離要求メッセージを伝送し、前記ポイントツーマルチポイントサービス分離要求メッセージは、前記特定の移動体端末が参加したポイントツーマルチポイントサービスの各々を識別する情報を含むことを特徴とする請求項５１に記載の無線ネットワークサブシステム。
【請求項５６】
前記制御装置は、前記特定の移動体端末が移動した第３の無線ネットワークサブシステムにより管理される領域の識別子と前記特定の移動体端末の識別子を、前記ポイントツーマルチポイントサービス分離要求メッセージに含ませることを特徴とする請求項５５に記載の無線ネットワークサブシステム。
【請求項５７】
前記無線ネットワークサブシステムと前記第２の無線ネットワークサブシステムは、ＵＭＴＳの一部であることを特徴とする請求項５１に記載の無線ネットワークサブシステム。
【請求項５８】
前記無線ネットワークサブシステムはサービングネットワーク制御装置を含み、前記第２の無線ネットワークサブシステムはドリフトネットワーク制御装置を含むことを特徴とする請求項５１に記載の無線ネットワークサブシステム。
【請求項５９】
少なくとも一つの移動体端末に特定のポイントツーマルチポイントサービスを提供する無線ネットワークサブシステムであって、
ポイントツーマルチポイントサービス・アタッチ要求メッセージを第２の無線ネットワークサブシステムに伝送する送信器と、
前記第２の無線ネットワークサブシステムからメッセージを受信する受信器と、
前記無線ネットワークサブシステムにより管理される指定された領域から前記第２の無線ネットワークサブシステムにより管理される領域に移動した移動体端末を識別する情報を記憶する記憶装置と、
前記指定された領域内で前記少なくとも一つの移動体端末を管理し、前記特定のポイントツーマルチポイントサービスに参加して前記指定された領域から前記第２のネットワークサブシステムにより管理される領域に移動する移動体端末が何かを判定し、前記特定のポイントツーマルチポイントサービスに参加して前記指定された領域から前記第２の無線ネットワークサブシステムにより管理される領域に移動した移動体端末の各々を識別する情報を含むポイントツーマルチポイントサービス・アタッチ要求メッセージを生成する制御装置と、
を含むことを特徴とする無線ネットワークサブシステム。
【請求項６０】
前記アタッチ要求メッセージの情報が、前記特定のポイントツーマルチポイントサービスが進行中ではないとき、前記指定された領域から前記第２の無線ネットワークサブシステムにより管理される領域に移動した移動体端末を識別することを特徴とする請求項５９に記載の無線ネットワークサブシステム。
【請求項６１】
前記制御装置は、コアネットワークから前記特定のポイントツーマルチポイントサービスに対してセッション開始コマンドを受信して前記ポイントツーマルチポイントサービス・アタッチ要求メッセージを伝送するようになっていることを特徴とする請求項５９に記載の無線ネットワークサブシステム。
【請求項６２】
前記制御装置は、コアネットワークから前記特定のポイントツーマルチポイントサービスに対してセッション開始コマンドを受信する前に、前記ポイントツーマルチポイントサービス・アタッチ要求メッセージを伝送するよう制御することを特徴とする請求項５９に記載の無線ネットワークサブシステム。
【請求項６３】
前記アタッチ要求メッセージの情報は、前記特定のポイントツーマルチポイントサービスが進行中であるとき、前記指定された領域から前記第２の無線ネットワークサブシステムにより管理される領域に移動した移動体端末を識別することを特徴とする請求項５９に記載の無線ネットワークサブシステム。
【請求項６４】
前記制御装置は、前記ポイントツーマルチポイントサービス・アタッチ要求メッセージにセル識別子とサービス識別子を含ませ、前記セル識別子は前記第２の無線ネットワークサブシステムにより管理される領域を示し、前記サービス識別子は前記特定のポイントツーマルチポイントサービスを示すことを特徴とする請求項５９に記載の無線ネットワークサブシステム。
【請求項６５】
前記制御装置は、前記アタッチ要求メッセージの情報によって識別された少なくとも一つの移動体端末が前記第２の無線ネットワークサブシステムにより管理される領域から離れると、前記第２のネットワークサブシステムにポイントツーマルチポイントサービス分離要求メッセージを伝送するように制御し、前記ポイントツーマルチポイントサービス分離要求メッセージは、前記少なくとも一つの移動体端末を識別する情報を含むことを特徴とする請求項５９に記載の無線ネットワークサブシステム。
【請求項６６】
前記制御装置は、前記ポイントツーマルチポイントサービス分離要求メッセージにセル識別子と端末識別子を含ませ、前記セル識別子は、前記少なくとも一つの移動体端末が移動した第３の無線ネットワークサブシステムにより管理される領域を示し、前記端末識別子は、前記少なくとも一つの移動体端末を示すことを特徴とする請求項６５に記載の無線ネットワークサブシステム。
【請求項６７】
前記第１の無線ネットワークサブシステムと前記第２の無線ネットワークサブシステムは、ＵＭＴＳの一部であることを特徴とする請求項５９に記載の無線ネットワークサブシステム。
【請求項６８】
前記第１の無線ネットワークサブシステムはサービングネットワーク制御装置を含み、前記第２の無線ネットワークサブシステムはドリフトネットワーク制御装置を含むことを特徴とする請求項５９に記載の無線ネットワークサブシステム。
【請求項６９】
特定の移動体端末に少なくとも一つのポイントツーマルチポイントサービスを提供する無線ネットワークサブシステムであって、
第２の無線ネットワークサブシステムにメッセージを伝送する送信器と、
前記第２の無線ネットワークサブシステムからポイントツーマルチポイントサービス・アタッチ要求メッセージを受信する受信器と、
前記特定の移動体端末が参加したポイントツーマルチポイントサービスの各々を識別する情報を記憶する記憶装置と、
前記特定の移動体端末を指定された領域内で管理し、前記特定の移動体端末が参加したポイントツーマルチポイントサービスの各々を識別する情報を含むポイントツーマルチポイントアタッチ要求メッセージを処理し、前記特定の移動体端末に対してポイントツーマルチポイントサービス・アタッチプロセスを実行するように制御する制御装置と、を含み、
前記サービス・アタッチプロセスは、前記アタッチ要求メッセージの情報によって、前記アタッチ要求メッセージにより識別されたポイントツーマルチポイントサービスの各々に対して実行されることを特徴とする無線ネットワークサブシステム。
【請求項７０】
前記アタッチ要求メッセージの情報は、前記特定の移動体端末に対して進行中であるポイントツーマルチポイントサービスが何かを示すことを特徴とする請求項６９に記載の無線ネットワークサブシステム。
【請求項７１】
前記アタッチ要求メッセージの情報は、前記特定の移動体端末に対して進行中ではないポイントツーマルチポイントサービスが何かを示すことを特徴とする請求項６９に記載の無線ネットワークサブシステム。
【請求項７２】
前記ポイントツーマルチポイントサービス・アタッチ要求メッセージは、前記指定された領域の識別子と前記特定の移動体端末の識別子をさらに含むことを特徴とする請求項６９に記載の無線ネットワークサブシステム。
【請求項７３】
前記制御装置は、前記アタッチ要求メッセージにより識別されたポイントツーマルチポイントサービスの各々に対して、前記無線ネットワークサブシステムにより管理される、接続された移動体端末のリストに前記特定の移動体端末の識別子を追加することによって前記ポイントツーマルチポイントサービス・アタッチプロセスを実行するように制御することを特徴とする請求項７２に記載の無線ネットワークサブシステム。
【請求項７４】
前記接続された移動体端末のリストは、どの移動体端末が前記無線ネットワークサブシステムを通じてコアネットワークと制御データを交換するために接続するかを示すことを特徴とする請求項７３に記載の無線ネットワークサブシステム。
【請求項７５】
前記制御装置は、前記特定の移動体端末が参加したポイントツーマルチポイントサービスの各々を識別する情報を含むポイントツーマルチポイントサービス分離要求メッセージを前記第２のネットワークから受信し、前記分離要求メッセージの情報によって、前記特定の移動体端末に対して進行中であり、前記分離要求メッセージにより識別されるポイントツーマルチポイントサービスの各々に対してポイントツーマルチポイントサービス分離プロセスを実行するように制御することを特徴とする請求項６９に記載の無線ネットワークサブシステム。
【請求項７６】
前記ポイントツーマルチポイントサービス分離要求メッセージは、前記特定の移動体端末が移動した第３の無線ネットワークサブシステムにより管理される領域の識別子と前記特定の移動体端末の識別子をさらに含むことを特徴とする請求項７５に記載の無線ネットワークサブシステム。
【請求項７７】
前記制御装置は、前記分離要求メッセージにより識別されたポイントツーマルチポイントサービスの各々に対して、前記無線ネットワークサブシステムにより管理される、接続された移動体端末のリストから前記特定の移動体端末の識別子を除去することによって、前記ポイントツーマルチポイント分離プロセスを実行するように制御することを特徴とする請求項７６に記載の無線ネットワークサブシステム。
【請求項７８】
前記制御装置は、前記特定の移動体端末が移動した領域で第３の無線ネットワークサブシステムを通じてコアネットワークとの制御データ交換のための接続が可能な場合にだけ、前記ポイントツーマルチポイント分離プロセスを実行するように制御することを特徴とする請求項７５に記載の無線ネットワークサブシステム。
【請求項７９】
前記制御装置は、前記無線ネットワークサブシステムを通じてコアネットワークとの制御データ交換のための接続が可能な場合にだけ、前記ポイントツーマルチポイントサービス分離プロセスを実行するように制御することを特徴とする請求項６９に記載の無線ネットワークサブシステム。
【請求項８０】
前記第１の無線ネットワークサブシステムと第２の無線ネットワークサブシステムは、ＵＭＴＳの一部であることを特徴とする請求項６９に記載の無線ネットワークサブシステム。
【請求項８１】
前記無線ネットワークサブシステムはドリフトネットワーク制御装置を含み、前記第２の無線ネットワークサブシステムはサービングネットワーク制御装置を含むことを特徴とする請求項６９に記載の無線ネットワークサブシステム。
【請求項８２】
少なくとも一つの移動体端末に特定のポイントツーマルチポイントサービスを提供する無線ネットワークサブシステムであって、
第２の無線ネットワークサブシステムにメッセージを伝送する送信器と、
前記第２の無線ネットワークサブシステムからポイントツーマルチポイントサービス・アタッチ要求メッセージを受信する受信器と、
前記第２の無線ネットワークサブシステムにより管理される領域から前記無線ネットワークサブシステムにより管理される指定された領域に移動した移動体端末を識別する情報を記憶する記憶装置と、
前記少なくとも移動体端末を指定された領域内で管理し、前記特定のポイントツーマルチポイントサービスに参加して前記第２の無線ネットワークサブシステムにより管理される領域から前記指定された領域に移動した移動体端末を識別する情報を含むポイントツーマルチポイントサービス・アタッチ要求メッセージを処理し、前記特定のポイントツーマルチポイントサービスに対してポイントツーマルチポイントサービス・アタッチプロセスを実行する制御装置と、を含み、
前記サービス・アタッチプロセスは、前記アタッチ要求メッセージの情報によって前記アタッチ要求メッセージにより識別された移動体端末の各々に対して実行されることを特徴とする無線ネットワークサブシステム。
【請求項８３】
前記アタッチ要求メッセージの情報は、前記特定のポイントツーマルチポイントサービスが進行中ではないとき、前記第２の無線ネットワークサブシステムにより管理される領域から前記指定された領域に移動した移動体端末を識別することを特徴とする請求項８２に記載の無線ネットワークサブシステム。
【請求項８４】
前記アタッチ要求メッセージの情報は、前記特定のポイントツーマルチポイントサービスが進行中であるとき、前記第２の無線ネットワークサブシステムにより管理される領域から前記指定された領域に移動した移動体端末を識別することを特徴とする請求項８２に記載の無線ネットワークサブシステム。
【請求項８５】
前記制御装置は、前記ポイントツーマルチポイントサービス・アタッチ要求メッセージに含まれ、前記第２の無線ネットワークサブシステムにより管理される領域を示すセル識別子を処理し、かつ前記特定のポイントツーマルチポイントサービスを示すサービス識別子を処理することを特徴とする請求項８２に記載の無線ネットワークサブシステム。
【請求項８６】
前記制御装置は、前記特定のポイントツーマルチポイントサービスに対して接続された移動体端末のリストを管理し、前記ポイントツーマルチポイントサービス・アタッチ要求メッセージの情報によって識別された移動体端末を前記リストに加算することにより前記ポイントツーマルチポイントサービス・アタッチプロセスを実行するように制御することを特徴とする請求項８２に記載の無線ネットワークサブシステム。
【請求項８７】
前記接続された移動体端末のリストは、どの移動体端末が前記無線ネットワークサブシステムを通じてコアネットワークと制御データを交換するために接続するかを示すことを特徴とする請求項８６に記載の無線ネットワークサブシステム。
【請求項８８】
前記制御装置は、前記指定された領域から離れた少なくとも一つの移動体端末を識別する情報を含むポイントツーマルチポイントサービス分離要求メッセージを前記第２の無線ネットワークサブシステムから受信し、前記特定のポイントツーマルチポイントサービスに対してポイントツーマルチポイントサービス分離プロセスを実行するように制御し、
前記サービス分離プロセスが、前記分離要求メッセージの情報によって前記分離要求メッセージにより識別された少なくとも一つの移動体端末に対して実行されることを特徴とする請求項８２に記載の無線ネットワークサブシステム。
【請求項８９】
前記制御装置は、前記ポイントツーマルチポイントサービス分離要求メッセージに含まれ、前記少なくとも一つの移動体端末が移動した第３の無線ネットワークサブシステムにより管理される領域を示すセル識別子を処理し、かつ前記少なくとも一つの移動体端末を示す端末識別子を処理するように制御することを特徴とする請求項８８に記載の無線ネットワークサブシステム。
【請求項９０】
前記制御装置は、前記特定のポイントツーマルチポイントサービスに対して接続された移動体端末のリストを管理し、前記リストから前記ポイントツーマルチポイントサービス分離要求の情報によって識別される移動体端末を除去することにより前記ポイントツーマルチポイントサービス分離プロセスを実行するように制御することを特徴とする請求項８８に記載の無線ネットワークサブシステム。
【請求項９１】
前記接続された移動体端末のリストは、どの移動体端末が前記無線ネットワークサブシステムを通じてコアネットワークと制御データを交換するために接続するかを示すことを特徴とする請求項９０に記載の無線ネットワークサブシステム。
【請求項９２】
前記ポイントツーマルチポイントサービス分離プロセスは、前記少なくとも一つの移動体端末が移動した領域で第３の無線ネットワークサブシステムを通じてコアネットワークとの制御データ交換のための接続が可能な場合にだけ実行されることを特徴とする請求項８８に記載の無線ネットワークサブシステム。
【請求項９３】
前記ポイントツーマルチポイントサービス・アタッチプロセスは、前記無線ネットワークサブシステムを通じてコアネットワークとの制御データ交換のための接続が可能な場合にだけ実行されることを特徴とする請求項８２に記載の無線ネットワークサブシステム。
【請求項９４】
前記無線ネットワークサブシステムと第２の無線ネットワークサブシステムは、ＵＭＴＳの一部であることを特徴とする請求項８２に記載の無線ネットワークサブシステム。
【請求項９５】
前記無線ネットワークサブシステムはドリフトネットワーク制御装置を含み、前記第２の無線ネットワークサブシステムはサービングネットワーク制御装置を含むことを特徴とする請求項８２に記載の無線ネットワークサブシステム。
【発明の詳細な説明】
【技術分野】
【０００１】
本発明は、マルチメディアのブロードキャスト／マルチキャストサービス(ＭＢＭＳ：Multimedia Broadcast／Multicast Service)などの一つ以上のポイントツーマルチポイントサービスを一つ以上の移動体端末またはユーザー端末(ＵＥ：User Equipment)に提供する方法及び装置に関する。より詳しくは、本発明は、一つ以上の移動体端末がサービスに参加した後に他のネットワーク構成要素により管理される移動体通信システムの新たな領域に移動するとき、ネットワークリソースを保護して移動体通信システムの効率を向上させながら、移動した端末がサービスを持続的に受信できるようにして、ネットワーク構成要素の間の情報が伝送されるように、一つ以上のサービスを提供する方法及び装置に関する。
【背景技術】
【０００２】
汎用移動体通信システム(ＵＭＴＳ:Universal Mobile Telecommunications System)は、ＧＳＭ(Global System for Mobile communications)システムから進化した第３世代移動体通信システムであり、ＧＳＭコアネットワークと広帯域コード分割多元接続技術をベースとして強化された移動体通信サービスを提供するためのシステムである。
【０００３】
図１は、従来のＵＭＴＳネットワーク構造を示したブロック図である。移動体端末２またはユーザー端末(ＵＥ)がＵＴＲＡＮ(UMTS Terrestrial Radio Access Network)６を通じてコアネットワーク４に接続される。ＵＴＲＡＮ６は、ＵＥ２とコアネットワーク４との間の通信のために無線アクセスベアラー(bearer)を構成し、維持し、管理してサービス要件の終端間品質を充足させる。
【０００４】
ＵＴＲＡＮ６は、少なくとも一つの無線ネットワークサブシステム８を含む。無線ネットワークサブシステム８は、コアネットワークに対するアクセスポイントとして動作する一つの無線ネットワーク制御装置(ＲＮＣ：Radio Network Controller)１０と、対応するＲＮＣにより管理される少なくとも一つのノードＢ１２とを含む。ＲＮＣ１０は、論理的にセルの複数のＵＥ２に対して共通無線リソースを割り当てて管理する制御ＲＮＣと、セルの特定のＵＥに対して専用無線リソースを割り当てて管理するサービングＲＮＣとに分類される。各々のノードＢ１２は少なくとも一つのセルを管理する。
【０００５】
特定のＵＥ２がＵＭＴＳネットワーク１において動的であればいつでもサービングＲＮＣ(ＳＲＮＣ)１０として動作する一つのＲＮＣ１０が存在する。ＳＲＮＣ１０は、ＵＥ２のデータをコアネットワーク４に伝送するためののアクセスポイントになる。他のＲＮＣ１０はドリフトＲＮＣ(ＤＲＮＣ)１０として動作する。一つのＵＥ２とＵＴＲＡＮ６との間の接続はドリフトＲＮＣなしにＳＲＮＣ１０のみで達成できるが、一つ以上のＤＲＮＣを要求することもできる。
【０００６】
Ｉｕｂインターフェースを通じて一つ以上のノードＢ１２に接続されてノードＢの無線リソースを制御するＲＮＣ１０は制御ＲＮＣである。制御ＲＮＣ１０は、対応ノードＢ１２とポイントツーマルチポイント関係を生成し、対応セル内におけるトラフィック負荷と輻輳を制御し、新たな無線リンクに対するコード受信及びコード割り当てを制御する。
【０００７】
ＵＥ２とコアネットワーク４との間ではいつでも、ＵＴＲＡＮ６を通じた情報を伝送できる。一般的に、このような情報の伝送は、ＳＲＮＣのような一つのＲＮＣ１０を通じて行われる。
【０００８】
しかし、ＵＥ２は移動性があるので、他のＲＮＣ１０が制御するノードＢ１２の領域またはセルに移動する場合がある。ＵＥが他のＲＮＣ１０が管理するセルに移動する場合、ＤＲＮＣ１０の機能が必要になる。ＵＥ２はＤＲＮＣ１０を通じてサービングＲＮＣ１０に接続される。
【０００９】
図２Ａは、図１のＵＭＴＳネットワーク１の一部として、ＳＲＮＣ(Ｒ１)１０のみを通じてＵＥ２がコアネットワーク４に接続する場合を示す。図２Ｂは、図１のＵＭＴＳネットワーク１の一部として、ＳＲＮＣ(Ｒ１)１０とＤＲＮＣ(Ｒ２)を通じてＵＥ２がコアネットワーク４に接続する場合を示する。
【００１０】
図２Ａに示したように、ＵＥ２はＳＲＮＣ(Ｒ１)１０を通じてコアネットワークへの初期接続を完了する。しかし、ＵＥ２がＤＲＮＣ(Ｒ２)１０により管理されるセルに移動する場合、ＵＥとコアネットワーク４との間の接続はＩｕｒインターフェースを通じてＳＲＮＣ(Ｒ１)に接続されるＤＲＮＣ(Ｒ２)を通じて行われる。ＳＲＮＣ(Ｒ１)１０は常にＵＥ２を管理してコアネットワークへのアクセスポイントとして動作し、ＤＲＮＣ(Ｒ２)は共通リソースとしてコードを割り当てると共にユーザーデータをルーティングする。ＳＲＮＣ１０及びＤＲＮＣ１０は、特定のＵＥ２及び特定ノードＢ１２接続モードに関連されたロジックにより区分される。
【００１１】
ＳＲＮＣ(Ｒ１)１０は、無線インターフェースを通じたデータ入力またはＵＥ２に伝送されるデータに対して動作し、サービスの提供に適切な無線リソースを割り当てる。無線リソース管理機能は特定のＵＥ２と関連された制御装置能として、伝送チャネル設定、ハンドオーバー決定、オープンループパワー制御を含む。
【００１２】
無線インターフェースプロトコルの第３の層の上に各々のＲＮＣ１０とＵＥ２に対する無線リソース制御(ＲＲＣ：Radio Resource Control)層が定義される。ＲＲＣ層は無線インターフェースプロトコルの第２の層により提供されるサービスであり、ＵＥ２とコアネットワーク４との間にデータを伝送するために形成される無線ベアラーの設定、再構成、解除に関連されたトランスポートチャネルと物理チャネルを制御する。無線ベアラーの設定は、例えば特定のサービスを提供するために必要なチャネル特徴などのプロトコル層の動作を定義し、サービスとそのパラメーターの演算方法を設定するプロセスである。
【００１３】
ＲＲＣメッセージの交換のために特定のＵＥ２のＲＲＣ層とＲＮＣ１０のＲＲＣ層が接続されるとき、ＵＥはＲＲＣ接続モードであると言われる。このような接続がない場合、ＵＥ２はＲＲＣアイドルモードにある。ＵＥ２のＳＲＮＣ(Ｒ１)１０はＲＮＣへのＲＲＣ接続が行われるときに決定される。ＲＮＣ１０はセルユニットによって対応するＵＥ２を認識して制御する。ＲＮＣ１０はセルユニットによって対応するＵＥ２を認識して管理する。
【００１４】
ＲＮＣ１０はＲＲＣアイドルモードにあるＵＥ２の存在を認識することができない。コアネットワーク４はＲＲＣアイドルモードにあるＵＥ２を、特に、ＭＳＣまたはＳＧＳＮを通じて、その位置またはルーティング領域(一つのセルより大きい領域)によって制御する。アイドルモードにあるＵＥ２がＭＢＭＳ(Multimedia Broadcast／Multicast Service)データの受信が可能な場合であっても、音声やパケットデータなどの一般的な移動体通信サービスを受信するためにはＵＥ２がＲＲＣ接続モードにある必要がある。
【００１５】
ＭＢＭＳは、ダウンリンク専用ＭＢＭＳベアラーサービスを通じて複数のＵＥ２にストリーミングまたはバックグラウンドサービスを提供する。ＵＴＲＡＮ６においてＭＢＭＳベアラーはポイントツーポイントまたはポイントツーマルチポイント無線ベアラーサービスを活用する。
【００１６】
ＭＢＭＳは、その名称が意味するようにブロードキャストモードまたはマルチキャストモードで実行できる。ブロードキャストモードでは、例えば、ブロードキャストサービスが利用できるサービス領域内のすべてのユーザーにマルチメディアデータが伝送される。マルチキャストモードでは、例えば、マルチキャストサービスが利用できるドメインなどのサービス領域内の特定ユーザーグループにマルチメディアデータが伝送される。
【００１７】
図３は、マルチキャストモード伝送における特定のＵＥ２と特定のＭＢＭＳの併行イベントを示している。ＭＢＭＳの受信を希望するＵＥ２は、ＵＥ２とＭＢＭＳ提供者の間の関係を設定するための加入申込手続きを完了する。ネットワークが提供する特定のＭＢＭＳに対応して加入ＵＥ２に提供されるサービスリスト及び関連情報を知らせるサービス開始通知を全ての加入ＵＥ２が受信する。
【００１８】
特定のマルチキャストサービスを受信するＵＳ２の特定のグループに参加するため、ＵＥは特定のマルチキャストサービスを受信する旨をコアネットワーク４に通知することによりマルチキャストグループに“参加(joins)”する。グループへの参加を終えるためには、ＵＥ２は“脱退(leave)”動作を実行する。加入、参加、脱退は各サービスに対して各々のＵＥ２により実行され、データの伝送前／後またはデータ伝送中の任意の時間に実行することができる。
【００１９】
例えば、“セッション開始”コマンドが伝送された後、“セッション中止”コマンドを受信する前などの特定のＭＢＭＳの進行中には、サービスの一つ以上のセッションが順次発生する。セッションはデータ伝送周期に対応する。ＭＢＭＳデータソースが伝送するための準備ができたＭＢＭＳデータを有するとき、コアネットワーク４はＲＮＣ１０にセッション開始を通知する。例えば、長期間のアイドル周期などの拡張された周期の間にデータの伝送が不可能であると判断される場合、コアネットワーク４はＲＮＣ１０にセッション中止を通知する。特定のＭＢＭＳに対するデータ伝送はセッション開始とセッション中止の間の時間にだけ実行することができ、特定のＭＢＭＳに対するマルチキャストグループに参加したＵＥ２だけがＭＢＭＳデータを受信することができる。
【００２０】
セッション開始プロセスにおいて、ＲＮＣ１０は、コアネットワーク４からセッション開始を受信した後、参加中のＵＥ２にＭＢＭＳ通知を伝送する。ＭＢＭＳ通知は、ＭＢＭＳデータの伝送以前に少なくとも１回以上伝送され、ＵＥ２に所定セル内で特定のＭＢＭＳデータがすぐ伝送されることを知らせる。
【００２１】
セッション開始と同時に、ＲＮＣ１０は特定セル内で参加したＵＥ２を認識してそのカウントを実行する。カウンティングプロセスの結果、ＲＮＣ１０はポイントツーポイント無線ベアラーを設定するかまたはポイントツーマルチポイント無線ベアラーを設定するかを設定されたしきい値によって決定する。ＲＮＣ１０は参加したＵＥ２の数がしきい値以下であれば、ポイントツーポイントＭＢＭＳ無線ベアラーを設定し、参加したＵＥ２の数がしきい値を超えれば、ポイントツーマルチポイントＭＢＭＳ無線ベアラーを設定する。
【００２２】
ＭＢＭＳ無線ベアラーが決定されると、ＲＮＣ１０はその結果をＵＥ２に知らせる。ポイントツーポイント無線ベアラーが決定されると、特定のサービスのために参加したすべてのＵＥ２はＭＢＭＳデータの受信のためにＲＲＣ接続モードに遷移せよと要求される。一方、ＲＲＣアイドルモードにあるＵＥ２はポイントツーマルチポイント無線ベアラーを通じた受信が可能なので、ポイントツーマルチポイント無線ベアラーが設定されると、このような遷移は不必要である。カウンティングプロセスによりサービスの受信を要求するＵＥ２がないと判定されると、無線リソースの不必要な消耗を避けるために無線ベアラーが設定されないのでＭＢＭＳデータは伝送されない。
【００２３】
特定のＭＢＭＳの一つのセッションのためにＭＢＭＳデータがコアネットワーク４から受信される場合、ＲＮＣ１０は設定された無線ベアラーを利用してデータを伝送する。セッション中止を受信すれば、ＲＮＣ１０は設定された無線ベアラーを解除する。各々の後続セッションに対して新たな無線ベアラーが設定される必要がある。スケジューリングされたセッションがその以上なければ、サービス中止予告が伝送される。
【００２４】
ＭＢＭＳ伝送プロセスは、各サービスに対して制御ＲＮＣ１０を通じてＵＥ２とコアネットワーク(より上位層でも)との間で実行される。ＲＲＣ接続時にＵＥ２がＲＮＣ１０により制御されるセルに残ると、例えば、サービングＲＮＣ(Ｒ１)１０のみを使用するなど、図２Ａに示された構成によってＭＢＭＳ伝送プロセスが実行される。ドリフトＲＮＣ(Ｒ２)１０が必要な場合には、図２Ｂのような構成が適用でき、ＵＥ２はドリフトＲＮＣ(Ｒ２)及びサービングＲＮＣ(Ｒ１)の中で少なくとも一つを通じて上位層に接続される。
【００２５】
従来のＭＢＭＳ伝送プロセスにおいて、特定のＭＢＭＳを提供するＲＮＣ１０は、各セルで特定のＭＢＭＳに参加するＵＥ２の中でＲＲＣ接続モードにあるＵＥ２を認識して管理する。ＲＮＣ１０は無線ネットワーク一時的識別子(ＲＮＴＩ：Radio Network Temporary Identifier)により特定のＭＢＭＳに参加した各々のＵＥを識別するため、各セルで各々のＭＢＭＳに対してＲＲＣ接続モードにあるＵＥ２のリストを管理する。
【００２６】
サービングＲＮＣ(Ｒ１)１０により管理されるセルからドリフトＲＮＣ(Ｒ２)により管理されるセルに移動するＲＲＣ接続モードにあるＵＥ２に対してはＭＢＭＳアタッチプロセスが実行される。このようなアタッチプロセスは移動中のＵＥ２が参加したＭＢＭＳが移動中に進行中であるとき、またはＵＥが移動した後にコアネットワーク４からセッション開始コマンドが受信されるときに実行される。
【００２７】
図４は、ＲＲＣ接続ＵＥ２がサービングＲＮＣ(Ｒ１)１０のセルからドリフトＲＮＣ(Ｒ２)のセルに移動する場合における従来のＭＢＭＳアタッチプロセス５０を示す。サービングＲＮＣ(Ｒ１)１０は、ステップＳ５２で、ドリフトＲＮＣ(Ｒ２)にＭＢＭＳアタッチ要求メッセージを伝送する。ＭＢＭＳアタッチ要求メッセージは移動されたＵＥ２に関する情報を含み、ドリフトＲＮＣ(Ｒ２)は移動されたＵＥの識別子にＲＲＣ接続ＵＥのリストを追加する。ＲＲＣ接続ＵＥ２のリストは各ＭＢＭＳに対するＵＥ識別子を含む。
【００２８】
ドリフトＲＮＣ(Ｒ２)１０は、特定のＵＥ２に対してＭＢＭＳアタッチ要求メッセージを受信すれば、ＵＥのＲＲＣ接続モードを維持するためのリソースの割り当てが可能であるか否かを判断する。
【００２９】
ＵＥ２のＲＲＣ接続モードを維持するためのリソースの割り当てが可能である場合には、ドリフトＲＮＣ(Ｒ２)１０はＵＥが参加したＭＢＭＳに対してＵＥの識別子をＲＲＣ接続ＵＥのリストにアタッチし、ステップＳ５４で、ＭＢＭＳアタッチ応答メッセージを通じてサービングＲＮＣ(Ｒ１)に肯定的応答を伝送する。一方、無線リソースを利用が可能である場合には、ドリフトＲＮＣ(Ｒ２)１０は要求を拒絶し、ステップＳ５４で、サービングＲＮＣ(Ｒ１)に否定的応答を伝送する。
【００３０】
サービングＲＮＣ(Ｒ１)１０は、ＭＢＭＳアタッチ応答メッセージを通じて肯定的応答を受信すれば、新たなセルでＵＥ２のＲＲＣ接続を維持する。サービングＲＮＣ(Ｒ１)１０はドリフトＲＮＣ(Ｒ２)にコアネットワーク４から受信されたＭＢＭＳデータを提供し、ドリフトＲＮＣ(Ｒ２)はポイントツーポイント無線ベアラーを通じてＵＥ２にＭＢＭＳデータを伝送する。
【００３１】
図５は、ＲＲＣ接続モードにあるＵＥ２が第１のドリフトＲＮＣ(Ｒ２)１０により管理されるセルから第２のドリフトＲＮＣ(図示せず)などの他のＲＮＣにより管理されるセルに移動するときに実行される従来のＭＢＭＳ分離プロセス６０を示す。サービングＲＮＣ(Ｒ１)１０は、ステップＳ６２で、ＵＥ２に対するＭＢＭＳ分離要求メッセージを第１のドリフトＲＮＣ(Ｒ２)に伝送する。ＭＢＭＳ分離要求メッセージは、例えば、第１のドリフトＲＮＣ(Ｒ２)１０により管理されるセルなどのＵＥ２が移動する前に位置した前のセルの識別子のみならずＭＢＭＳ ＩＤと移動されたＵＥ２０の識別子(ＲＮＴＩ)も含む。
【００３２】
第１のドリフトＲＮＣ(Ｒ２)１０は、ＲＲＣ接続モードにあるＵＥのリストから移動されたＵＥ２を除去する。第１のドリフトＲＮＣ(Ｒ２)１０は、ステップＳ６４で、ＭＢＭＳ分離応答メッセージを通じてサービングＲＮＣ(Ｒ１)に応答を伝送する。
【００３３】
図４と図５に示された従来の方法によれば、サービングＲＮＣ(Ｒ１)１０は、参加したＭＢＭＳごとに各々のＵＥ２に対するドリフトＲＮＣ(Ｒ２)に一つのＭＢＭＳアタッチ要求メッセージまたは一つのＭＢＭＳ分離要求メッセージを伝送する。より具体的には、サービングＲＮＣ(Ｒ１)１０がドリフトＲＮＣ(Ｒ２)にＭＢＭＳアタッチ要求メッセージまたはＭＢＭＳ分離要求メッセージを伝送する場合、特定のＵＥ２が参加した複数のサービスの中で各々の特定のＭＢＭＳに対して一つの要求メッセージが伝送される。
【００３４】
ＵＥ２が一つ以上のＭＢＭＳに参加して多数のサービスが進行中である場合、例えば、所定のＵＥにおいて進行中の各々のサービスに対して一回ずつなど、対応回数だけＭＢＭＳアタッチ要求メッセージとＭＢＭＳ分離要求メッセージが伝送される。また、多数のＵＥ２が一つのＭＢＭＳに参加してＭＢＭＳが進行しないうちに、参加したいくつかのＵＥがサービングＲＮＣ(Ｒ１)１０により管理されるセルからドリフトＲＮＣ(Ｒ２)により管理されるセルに移動すると、サービングＲＮＣ(Ｒ１)はＭＢＭＳに対するセッション開始コマンドを受信すれば、各々の参加したＵＥにＭＢＭＳアタッチ要求メッセージを数回伝送する。
【００３５】
従来の方法では、ＭＢＭＳアタッチ／分離要求メッセージの伝送頻度はＭＢＭＳに参加する移動体端末の数と提供されるサービスの数に比例して増加する。したがって、サービングＲＮＣとドリフトＲＮＣの間のシグナリング負荷が増加するので、移動体端末が新たなドリフトＲＮＣにより管理されるセルに移動する時ごとにネットワークリソースの効率性が減少される。したがって、新たなＲＮＣにより管理されるセルに移動する移動体端末にＭＢＭＳを容易に提供すると共に、それに対応するサービングＲＮＣとドリフトＲＮＣの間のシグナリング負荷の増加を最小化してネットワークリソースの効率性を維持することができる方法及び装置が要求される。
【発明の開示】
【発明が解決しようとする課題】
【００３６】
したがって、本発明は上述したような従来技術の問題点を解決するためになされたもので、その目的は、ＲＮＣなどの一つのネットワーク制御装置により管理される領域からドリフトＲＮＣなどの他のネットワーク制御装置により管理される領域に移動する移動体端末に、ポイントツーマルチポイントサービスを提供する方法及び装置を提供することにある。具体的に、本発明は、一つ以上のＭＢＭＳを提供する方法及び装置に関し、一つ以上のＵＥがＭＢＭＳに参加した後に他のネットワーク構成要素により管理される移動体通信システムの新たな領域に移動するとき、移動したＵＥへの持続的なサービス受信を容易にすると共に、ネットワークリソースを節減して移動体通信通信システムの効率性を増加させることにより、ネットワーク構成要素の間に情報を伝送する。
【００３７】
本発明の他の目的は、第１のネットワーク制御装置により管理される領域から第２のネットワーク制御装置により管理される領域に移動した一つ以上の移動体端末に関する情報を第２のネットワーク制御装置に提供し、移動した移動体端末への持続的なポイントツーマルチポイントサービスの提供を容易にし、第１のネットワーク制御装置と第２のネットワーク制御装置の間のシグナル伝達活性の増加を最小化する方法及び装置を提供することにある。具体的には、一つ以上の移動体端末がサービングＲＮＣにより制御される領域からドリフトＲＮＣにより制御される領域に移動する場合、サービングＲＮＣはリスト情報を含むアタッチ要求メッセージをドリフトＲＮＣに提供する。この情報は特定の移動体端末が参加したポイントツーマルチポイントサービスまたは特定のポイントツーマルチポイントサービスに参加した移動体端末を示す。
【課題を解決するための手段】
【００３８】
前記目的を達成するために本発明は、特定の移動体端末に一つ以上のポイントツーマルチポイントサービスを提供する方法を提供する。本発明の方法は、第１のネットワーク制御装置により管理されるセルから第２のネットワーク制御装置により制御されるセルに特定の移動体端末が移動する場合、特定の移動体端末が参加したサービスを識別するサービス・アタッチ要求メッセージを第１のネットワークから第２のネットワークに伝送する段階と、アタッチ要求メッセージの情報による特定の移動体端末に対して及びアタッチ要求メッセージにより識別された各々のポイントツーマルチポイントサービスに対してサービス・アタッチプロセスを実行する段階と、を含む。
【００３９】
好ましくは、サービス・アタッチプロセスは、第２のネットワーク制御装置で実行され、第２のネットワークを通じてコアネットワークとの制御データ交換のための接続が可能な場合にだけ実行される。好ましくは、第１のネットワーク制御装置及び第２のネットワーク制御装置はＵＭＴＳの一部である。
【００４０】
サービス・アタッチ要求メッセージの情報は、特定の移動体端末に対して進行中であるポイントツーマルチポイントサービスが何かを示す。また、サービス・アタッチ要求メッセージの情報は、特定の移動体端末に対して進行中ではないポイントツーマルチポイントサービスが何かを示す。
【００４１】
好ましくは、サービス要求応答メッセージは、第２のネットワーク制御装置により管理されるセルの識別子と特定の移動体端末の識別子を含む。サービス・アタッチプロセスは、アタッチ要求メッセージにより識別された各々のサービスに対して、第２のネットワーク制御装置により管理される接続された移動体端末のリストに特定の移動体端末の識別子を追加する段階を含み、接続された移動体端末のリストは、どの移動体端末が第２のネットワーク制御装置を通じてコアネットワークと制御データを交換するために接続するかを示す。
【００４２】
前記目的を達成するために本発明は、特定の移動体端末が第２のネットワーク制御装置により管理されるセルから離れると、特定の移動体端末が参加した各々のポイントツーマルチポイントサービスを識別する情報を含むサービス分離要求メッセージを第１のネットワーク制御装置から第２のネットワーク制御装置に伝送する段階と、特定の移動体端末に対して進行中であり、分離要求メッセージにより識別された各々のサービスに対して分離要求メッセージの情報によって第２のネットワーク制御装置でサービス分離プロセスを実行する段階と、を含む。
【００４３】
好ましくは、サービス分離プロセスは、移動体端末が移動した第３のネットワーク制御装置を通じてコアネットワークとの制御データ交換のための接続が可能な場合にだけ実行される。
【００４４】
好ましくは、サービス分離要求メッセージは、移動体端末が移動したセルの識別子と特定の移動体端末の識別子を含む。サービス分離プロセスは、分離要求メッセージにより識別された各々のサービスに対して、第２のネットワーク制御装置により管理される接続された移動体端末のリストから特定の移動体端末の識別子を除去する段階を含む。
【００４５】
本発明のほかの様態によれば、一つ以上の移動体端末に特定のポイントツーマルチポイントサービスを提供する方法が提供される。本発明の方法は、特定のポイントツーマルチポイントサービスに参加して第１のネットワーク制御装置により管理されるセルから第２のネットワーク制御装置により管理されるセルに移動した各々の移動体端末を識別するサービス・アタッチ要求メッセージを第１のネットワーク制御装置から第２のネットワーク制御装置に伝送する段階と、アタッチ要求メッセージの情報によって、特定のポイントツーマルチポイントサービスとアタッチ要求メッセージにより識別された各々の移動体端末に対してサービス・アタッチプロセスを実行する段階と、を含む。
【００４６】
好ましくは、サービス・アタッチプロセスは、第２のネットワーク制御装置で実行され、第２のネットワーク制御装置を通じてコアネットワークとの制御データ交換のための接続が可能な場合にだけ実行される。好ましくは、第１のネットワーク制御装置及び第２のネットワーク制御装置はＵＭＴＳの一部である。
【００４７】
サービス・アタッチ要求メッセージの情報によって、特定のサービスが進行中ではない場合、第１のネットワーク制御装置により管理されるセルから第２のネットワーク制御装置により管理されるセルに移動した移動体端末を識別することができる。また、サービス・アタッチ要求メッセージは、コアネットワークから特定のサービスに対してセッション開始コマンドを受信して伝送するかまたはコアネットワークから特定のサービスに対してセッション開始コマンドを受信する前に伝送することができる。さらに、サービス・アタッチ要求メッセージの情報によって、特定のポイントツーマルチポイントサービスが進行中であるとき、第１のネットワーク制御装置により管理されるセルから第２のネットワーク制御装置により管理されるセルに移動した移動体端末を識別することができる。
【００４８】
好ましくは、サービス・アタッチ要求メッセージは、第２のネットワーク制御装置により管理されるセルの識別子と特定のサービスの識別子を含む。サービス・アタッチプロセスは、特定のサービスに対して第２のネットワーク制御装置により管理される接続された移動体端末のリストにアタッチ要求メッセージにより識別された移動体端末を追加することができ、接続された移動体端末のリストは、どの移動体端末が第２のネットワーク制御装置を通じてコアネットワークと制御データを交換するために接続するかを示す。
【００４９】
前記目的を達成するために本発明は、第２のネットワーク制御装置により管理されるセルから離れた移動体端末を識別する情報を含むサービス分離要求メッセージを第１のネットワーク制御装置から第２のネットワーク制御装置に伝送する段階と、分離要求メッセージにより識別された各々の移動体端末に対して分離要求メッセージの情報によって第２のネットワーク制御装置でサービス分離プロセスを実行する段階と、を含む
【００５０】
好ましくは、サービス分離プロセスは、移動体端末が第３のネットワーク制御装置を通じてコアネットワークとの制御データ交換のための接続を移動したセルで利用することができる場合にだけ実行される。
【００５１】
好ましくは、サービス分離要求メッセージは、移動体端末が移動したセルの識別子を含む。サービス分離プロセスは、特定のサービスに対して第２のネットワーク制御装置により管理される接続された移動体端末のリストから移動した移動体端末の識別子を除去する段階を含む。
【００５２】
本発明のほかの様態によれば、特定の移動体端末に一つ以上のポイントツーマルチポイントサービスを提供するシステムが提供される。本発明のシステムは、一つ以上の ポイントツーマルチポイントサービスを提供するコアネットワークと、コアネットワークとインターフェースしながら一つ以上のセルを管理する第１のネットワーク制御装置と、コアネットワークとインターフェースしながら一つ以上の他のセルを管理する第２のネットワーク制御装置と、特定の移動体端末と、を含む。
【００５３】
第１のネットワーク制御装置は、自分が管理するセルに特定の移動体端末が位置する場合、特定の移動体端末にポイントツーマルチポイントサービスを提供し、特定の移動体端末が第１のネットワーク制御装置により管理されるセルから第２のネットワーク制御装置により管理されるセルに移動する場合、特定の移動体端末が参加した各々のサービスを識別する情報を含むサービス・アタッチ要求メッセージを第２のネットワーク制御装置に伝送する。第２のネットワーク制御装置は、アタッチ要求メッセージを受信し、アタッチ要求メッセージにより識別された各々のサービスに対してアタッチ要求メッセージの情報によってサービス・アタッチプロセスを実行する。
【００５４】
サービス・アタッチ要求メッセージの情報は、特定の移動体端末に対して進行中であるポイントツーマルチポイントサービスが何かを示す。また、サービス・アタッチ要求メッセージの情報は、特定の移動体端末に対して進行中ではないポイントツーマルチポイントサービスが何かを示す。好ましくは、サービス・アタッチプロセスは、第２のネットワーク制御装置を通じてコアネットワークとの制御データ交換のための接続が可能な場合にだけ実行される。
【００５５】
好ましくは、サービス・アタッチ要求メッセージは、第２のネットワーク制御装置により管理されるセルの識別子と特定の移動体端末の識別子を含む。サービス・アタッチプロセスは、アタッチ要求メッセージにより識別された各々のサービスに対して第２のネットワーク制御装置により管理される接続された移動体端末のリストに特定の移動体端末の識別子を追加する段階を含む。
【００５６】
第１のネットワーク制御装置は、特定の移動体端末が第２のネットワーク制御装置により管理されるセルから離れると、特定の移動体端末が参加した各々のポイントツーマルチポイントサービスを識別する情報を含むサービス分離要求メッセージを第２のネットワーク制御装置に伝送することができ、第２のネットワーク制御装置は、分離要求メッセージにより識別されて特定の移動体端末に対して進行中の各々のサービスに対して分離要求メッセージの情報によってサービス分離プロセスを実行することができる。好ましくは、サービス分離プロセスは、移動体端末が移動したセルで第３のネットワーク制御装置を通じてコアネットワークとの制御データ交換のための接続が可能な場合にだけ実行される。
【００５７】
好ましくは、サービス分離要求メッセージは、移動体端末が移動したセルの識別子と特定の移動体端末の識別子を含む。サービス分離プロセスは、分離要求メッセージにより識別された各々のサービスに対して第２のネットワーク制御装置により管理される接続された移動体端末のリストから特定の移動体端末の識別子を除去する段階を含む。
【００５８】
本発明の他の様態によれば、一つ以上の移動体端末に特定のポイントツーマルチポイントサービスを提供するシステムが提供される。本発明のシステムは、特定のポイントツーマルチポイントサービスを提供するコアネットワークと、コアネットワークとインターフェースしながら一つ以上のセルを管理する第１のネットワーク制御装置と、コアネットワークとインターフェースしながら一つ以上の他のセルを管理する第２のネットワーク制御装置と、一つ以上の移動体端末と、を含む。
【００５９】
第１のネットワーク制御装置は、自分が管理するセルに位置した移動体端末に特定のポイントツーマルチポイントサービスを提供し、特定のサービスに参加して第１のネットワーク制御装置により管理されるセルから第２のネットワーク制御装置により管理されるセルに移動した移動体端末を識別する情報を含むサービス・アタッチ要求メッセージを第２のネットワーク制御装置に伝送する。第２のネットワーク制御装置は、アタッチ要求メッセージを受信し、アタッチ要求メッセージにより識別された各々の移動体端末に対してアタッチ要求メッセージの情報によって特定のサービスに対するサービス・アタッチプロセスを実行する。
【００６０】
サービス・アタッチ要求メッセージの情報によって、特定のサービスが進行中ではない場合に第１のネットワーク制御装置により管理されるセルから第２のネットワーク制御装置により管理されるセルに移動した移動体端末を識別することができる。また、サービス・アタッチ要求メッセージは、コアネットワークから特定のサービスに対するセッション開始コマンドを受信して伝送するか、またはコアネットワークから特定のサービスに対するセッション開始コマンドを受信する前に伝送することができる。さらに、サービス・アタッチ要求メッセージの情報によって、特定のサービスが進行中であるとき、第１のネットワーク制御装置により管理されるセルから第２のネットワーク制御装置により管理されるセルに移動した移動体端末を識別することができる。
【００６１】
好ましくは、サービス・アタッチ要求メッセージは、第２のネットワーク制御装置により管理されるセルの識別子と特定のサービスの識別子を含む。サービス・アタッチプロセスは、特定のサービスに対して第２のネットワーク制御装置により管理される接続された移動体端末のリストにアタッチ要求メッセージにより識別された移動体端末を追加する段階を含む。好ましくは、サービス・アタッチプロセスは、第２のネットワーク制御装置を通じてコアネットワークとの制御データ交換のための接続が可能な場合にだけ実行される。
【００６２】
第１のネットワーク制御装置は、第２のネットワーク制御装置により管理されるセルから離れた移動体端末を識別する情報を含むサービス分離要求メッセージを第２のネットワークに伝送することができ、第２のネットワーク制御装置は、分離要求メッセージにより識別された移動体端末各々に対して分離要求メッセージの情報によってサービス分離プロセスを実行することができる。サービス分離プロセスは、移動体端末が移動したセルで第３のネットワーク制御装置を通じたコアネットワークとの制御データ交換のための接続が可能な場合にだけ実行される。
【００６３】
好ましくは、サービス分離要求メッセージは、移動体端末が移動したセルの識別子と、移動した移動体端末の識別子を含む。サービス分離プロセスは、特定のサービスに対して第２のネットワーク制御装置により管理される接続された移動体端末のリストから移動した移動体端末の識別子を除去する段階を含む。
【００６４】
本発明のほかの様態によれば、特定の移動体端末に一つ以上のポイントツーマルチポイントサービスを提供する無線ネットワークサブシステムが提供される。無線ネットワークサブシステムは、送信器、受信器、記憶装置、制御装置を含む。
【００６５】
送信器は、第２の無線ネットワークサブシステムにポイントツーマルチポイントサービス・アタッチ要求メッセージを伝送する。受信器は、第２の無線ネットワークサブシステムからメッセージを受信する。記憶装置は、特定の移動体端末が参加したポイントツーマルチポイントサービスの各々を識別する情報を保存する。制御装置は、指定された領域内の特定の移動体端末を管理し、いつ特定の移動体端末が指定された領域から第２の無線ネットワークサブシステムにより管理される領域に移動するかを判定し、特定の移動体端末が参加した各々のサービスを識別する情報を含むサービス・アタッチ要求メッセージを生成することにより本発明の方法を実行する。
【００６６】
本発明の他の様態によれば、一つ以上の移動体端末に特定のポイントツーマルチポイントサービスを提供する無線ネットワークサブシステムが提供される。無線ネットワークサブシステムは、送信器、受信器、記憶装置、制御装置を含む。
【００６７】
送信器は、第２の無線ネットワークサブシステムにポイントツーマルチポイントサービス・アタッチ要求メッセージを伝送する。受信器は、第２の無線ネットワークサブシステムからメッセージを受信する。記憶装置は、無線ネットワークサブシステムにより管理される指定された領域から第２の無線ネットワークサブシステムにより管理される領域に移動した移動体端末を識別する情報を保存する。制御装置は、指定された領域内の移動体端末を管理し、どの移動体端末が特定のポイントツーマルチポイントサービスに参加して指定された領域から第２の無線ネットワークサブシステムにより管理される領域に移動するかを決定し、特定のポイントツーマルチポイントサービスに参加して指定された領域から第２の無線ネットワークサブシステムにより管理される領域に移動した移動体端末の各々を識別する情報を含むサービス・アタッチ要求メッセージを生成することにより本発明の方法を実行する。
【００６８】
本発明の他の様態によれば、特定の移動体端末に一つ以上のポイントツーマルチポイントサービスを提供する無線ネットワークサブシステムが提供される。無線ネットワークサブシステムは、送信器、受信器、記憶装置、制御装置を含む。
【００６９】
送信器は、第２の無線ネットワークサブシステムにメッセージを伝送する。受信器は、第２の無線ネットワークサブシステムからポイントツーマルチポイントサービス・アタッチ要求メッセージを受信する。記憶装置は、特定の移動体端末が参加したサービスの各々を識別する情報を保存する。制御装置は、指定された領域内の特定の移動体端末を管理し、特定の移動体端末が参加したサービスを識別する情報を含むサービス・アタッチ要求メッセージを処理し、アタッチ要求メッセージの情報による特定の移動体端末及びアタッチ要求メッセージにより識別されたサービスの各々に対するサービス・アタッチプロセスを実行する。
【００７０】
本発明の他の様態によれば、一つ以上の移動体端末に特定のポイントツーマルチポイントサービスを提供する無線ネットワークサブシステムが提供される。無線ネットワークサブシステムは、送信器、受信器、記憶装置、制御装置を含む。
【００７１】
送信器は、第２の無線ネットワークサブシステムにメッセージを伝送する。受信器は、第２の無線ネットワークサブシステムからポイントツーマルチポイントサービス・アタッチ要求メッセージを受信する。記憶装置は、第２の無線ネットワークサブシステムにより管理される領域から無線ネットワークサブシステムにより管理される指定された領域に移動した移動体端末を識別する情報を保存する。制御装置は、指定された領域内の移動体端末を管理し、特定のサービスに参加して第２の無線ネットワークサブシステムにより管理される領域から指定された領域に移動した移動体端末を識別する情報を含むサービス・アタッチ要求メッセージを処理し、アタッチ要求メッセージの情報による特定のサービス及びアタッチ要求メッセージにより識別された移動体端末各々に対するサービス・アタッチプロセスを実行する。
【発明の効果】
【００７２】
本発明によれば、サービングＲＮＣは、一つ以上の移動体端末がサービングＲＮＣにより管理される領域からドリフトＲＮＣにより管理される領域に移動するとき、リスト情報を含む一つのＭＢＭＳアタッチ要求メッセージをドリフトＲＮＣに伝送する。リスト情報は、移動前に特定の移動体端末が参加した一つ以上のサービスを示すかまたは特定のサービスに参加した後に移動した移動体端末を示すことができる。ドリフトＲＮＣは、各々の特定の移動体端末に対する多数のサービスまたは各々の特定のサービスに対する多数の移動体端末に対してＭＢＭＳアタッチプロセスを実行する。移動体端末が一つのＲＮＣにより管理される領域から他のＲＮＣにより管理される領域に移動するとき、ＲＮＣの間でメッセージ伝送をシグナリングするだけではなくネットワーク負荷の増加が最小化され、ネットワークの効率性が増加されてネットワークリソースを節減する。
【発明を実施するための最良の形態】
【００７３】
本発明は、一つのネットワーク制御装置により管理される領域から他のネットワーク制御装置により管理される領域に移動する移動体端末にポイントツーマルチポイントサービスを提供する方法及び装置に関する。本明細書では移動体端末について図示しているが、第１の制御装置により管理される領域から第２の制御装置により管理される領域に移動するデバイスにポイントツーマルチポイントサービスの提供が必要な場合に、本発明はいつも適用できる。
【００７４】
以下、本発明の好ましい実施形態について、添付図面を参照しつつ詳細に説明する。なお、図面中、同一の構成要素及び部分には、可能な限り同一の符号及び番号を共通使用するものとする。
【００７５】
例えば、本発明の説明において、ＭＢＭＳなどの特定のＵＥ２が参加したすべてのサービスを識別する情報をＭＢＭＳリスト情報と称する。ＭＢＭＳリスト情報によって、特定のＵＥ２が参加したサービスの中で進行中のサービスまたは進行中ではないサービスを識別することができる。
【００７６】
また、特定のＭＢＭＳに参加したＵＥの中で他のＲＮＣ１０により管理されるセルに移動したＵＥ２の各々を識別する情報をＵＥリスト情報と称する。ＵＥリスト情報によって、ＵＥが移動するとき進行中でない特定のＭＢＭＳに参加したＵＥ、またはＵＥが移動するとき進行中の特定のＭＢＭＳに参加したＵＥを識別することができる。
【００７７】
本発明の一実施形態において、ドリフトＲＮＣ(Ｒ２)１０は、サービングＲＮＣ(Ｒ１)からＭＢＭＳアタッチ要求メッセージを受信し、そのＭＢＭＳアタッチ要求メッセージにＭＢＭＳリスト情報またはＵＥリスト情報が含まれるか否かを判断する。ＭＢＭＳリスト情報を受信すると、ドリフトＲＮＣ(Ｒ２)は列挙された各々のＭＢＭＳに対して特定のＵＥ２に対応するＭＢＭＳアタッチプロセスを実行する。ＵＥリスト情報が受信されると、ドリフトＲＮＣ(Ｒ２)１０は列挙されたＵＥ２に対して特定のＭＢＭＳに対応するＭＢＭＳアタッチプロセスを実行する。
【００７８】
図６は、ＵＥ２がドリフトＲＮＣ(Ｒ２)により管理される領域に移動するとき、サービングＲＮＣ(Ｒ１)１０がＭＢＭＳリスト情報を含むＭＢＭＳアタッチ要求メッセージをドリフトＲＮＣ(Ｒ２)に伝送するＭＢＭＳ伝送方法１００を示す。好ましくは。ＭＢＭＳリスト情報は、ＵＥ２に対して進行中の各々のＭＢＭＳを示す。
【００７９】
ステップＳ１０２で、サービングＲＮＣ(Ｒ１)１０は、ドリフトＲＮＣ(Ｒ２)により管理されるセルにＵＥ２が移動することを感知し、ＭＢＭＳリスト情報を含むＭＢＭＳアタッチ要求メッセージをドリフトＲＮＣ(Ｒ２)に伝送する。ＭＢＭＳアタッチ要求メッセージは、ＵＥ２が移動したセルを識別する情報とＲＮＴＩなどのＵＥ識別子を含む。
【００８０】
ＭＢＭＳアタッチ要求メッセージを受信すれば、ドリフトＲＮＣ(Ｒ２)１０は、ＭＢＭＳリスト情報を確認し、ステップＳ１０４で、ＭＢＭＳリスト情報によって識別されたＭＢＭＳの各々に対してドリフトＲＮＣ(Ｒ２)により管理されるＲＲＣ接続ＵＥのリストにＵＥ２を追加することによりＭＢＭＳアタッチプロセスを実行する。例えば、ＭＢＭＳリスト情報が‘Ｎ’サービスを示す場合、‘Ｎ’サービスの各々に対してドリフトＲＮＣ(Ｒ２)１０により管理されるＲＲＣ接続ＵＥのリストにＵＥ２が追加され、ＭＢＭＳアタッチ要求メッセージの単一伝送は、図４に示された従来方法により実行される‘Ｎ’伝送効果を達成する。
【００８１】
ステップＳ１０４において、ＭＢＭＳアタッチプロセスは、ドリフトＲＮＣ(Ｒ２)１０により管理されるセルに対応するＵＥ２に対するＲＲＣ接続を維持するリソース割り当てが存在する場合にだけ実行される。ステップＳ１０６で、ドリフトＲＮＣ(Ｒ２)１０は、サービングＲＮＣ(Ｒ１)にＭＢＭＳアタッチ応答メッセージを伝送する。ＭＢＭＳアタッチ応答メッセージはＭＢＭＳリスト情報を含む。
【００８２】
図７は、特定のＭＢＭＳに参加した一つ以上のＵＥ２がドリフトＲＮＣ(Ｒ２)により管理される領域に移動するとき、サービングＲＮＣ(Ｒ１)１０がＵＥリスト情報を含むＭＢＭＳアタッチ要求メッセージをドリフトＲＮＣ(Ｒ２)に伝送するＭＢＭＳ伝送方法２００を示す。好ましくは、ＭＢＭＳリスト情報は、ＵＥが移動するときに進行中ではない特定のＭＢＭＳに参加したＵＥ２を示す。
【００８３】
ステップＳ２０２で、サービングＲＮＣ(Ｒ１)１０は、特定のＭＢＭＳに対してＵＥリスト情報を含むＭＢＭＳアタッチ要求メッセージをドリフトＲＮＣ(Ｒ２)１０に伝送する。ＭＢＭＳアタッチ要求メッセージは、ＵＥ２が移動したセルや特定のＭＢＭＳを識別する情報だけではなく、特定のＭＢＭＳに参加したＵＥ２の中でドリフトＲＮＣ(Ｒ２)１０により管理されるセルに移動するＵＥ２が何かを識別するＵＥリスト情報も含む。好ましくは、ＵＥ２がドリフトＲＮＣ(Ｒ２)により管理されるセルに移動するとき、進行中ではない特定のＭＢＭＳに対してコアネットワーク４から“セッション開始”コマンドを受信すれば、ＭＢＭＳアタッチ要求メッセージが伝送される。
【００８４】
ＭＢＭＳアタッチ要求メッセージを受信すれば、ドリフトＲＮＣ(Ｒ１)１０は、ＵＥリスト情報を確認し、ＵＥリスト情報に表示されたＵＥ２を特定のＭＢＭＳに対してドリフトＲＮＣ(Ｒ２)により管理されるＲＲＣ接続ＵＥのリストに追加することにより、ステップＳ２０４のようなＭＢＭＳアタッチプロセスを実行する。例えば、ＵＥリスト情報が‘Ｍ’個のＵＥ２を示すと、‘Ｍ’個のＵＥが特定のＭＢＭＳに対してＲＲＣ接続されたＵＥのリストに追加され、ＭＢＭＳアタッチ要求メッセージの単一伝送は、図４に示された従来方法によって実行される‘Ｍ’伝送効果のような効果を達成する。
【００８５】
ステップＳ２０４で、ＭＢＭＳアタッチプロセスは、ドリフトＲＮＣ(Ｒ２)１０により管理されるセルに対応するＵＥ２に対するＲＲＣ接続を維持するリソース割り当てが存在する場合にだけ実行される。ステップＳ２０６で、ドリフトＲＮＣ(Ｒ２)１０は、ＭＢＭＳアタッチ応答メッセージをサービングＲＮＣ(Ｒ１)に伝送する。ＭＢＭＳアタッチ応答メッセージはＵＥリスト情報を含む。
【００８６】
図８は、本発明の実施形態によるＭＢＭＳ分離プロセスを示す。ＭＢＭＳ分離プロセスは、ＲＲＣ接続モードにあるＵＥ２が第１のドリフトＲＮＣ(Ｒ２)１０により管理されるセルから第２のドリフトＲＮＣ(図示せず)など他のＲＮＣにより管理されるセルに移動するときに実行される。
【００８７】
サービングＲＮＣ(Ｒ１)１０は、ステップＳ２０２で、ＭＢＭＳ分離要求メッセージを第１のドリフトＲＮＣ(Ｒ２)に伝送する。ＭＢＭＳ分離要求メッセージは、第２のドリフトＲＮＣ(図示せず)により管理されるセルに移動した一つ以上のＵＥ２を示す情報を含む。また、ＭＢＭＳ分離要求メッセージは、ＵＥ２が移動したセルを識別する情報及び特定のＵＥまたはＭＢＭＳを識別する情報を含む。
【００８８】
ＭＢＭＳ分離要求メッセージを受信すれば、第１のドリフトＲＮＣ(Ｒ２)１０は、ステップＳ２０４で、各々のＭＢＭＳに対して管理されるＲＲＣ接続ＵＥのリストから、ＭＢＭＳ分離要求メッセージにより表示されるＵＥ２を除去する。第１のドリフトＲＮＣ(Ｒ２)１０は、ステップＳ２０６で、ＭＢＭＳ分離応答メッセージを通じてサービングＲＮＣ(Ｒ１)に応答を伝送する。
【００８９】
図９は、本発明の一実施形態による通信ネットワーク４００を示す。通信ネットワーク４００は、一つ以上のＭＢＭＳを提供するコアネットワーク４０１と、複数のＵＥ４１１〜４１５と、ＵＥをコアネットワークに接続させる無線ネットワークサブシステム４１７〜４１９とを含む。無線ネットワークサブシステム４１７〜４１９は、各々ＭＢＭＳ領域によってＵＥ４１１〜４１５に対する無線リソースの割り当てと管理を担当するネットワーク構成要素としてのＲＮＣ４０２〜４０４及びＵＥとの通信のためのノードＢ４０５〜４１０を含む。各々のＵＥ４１１〜４１５は、一つ以上のＭＢＭＳに参加し、ＭＢＭＳの一部だけが任意の時間に該当ＵＥに対して進行される。
【００９０】
該管理領域でＵＥ４１１〜４１５に対してサービングＲＮＣ(ＳＲＮＣ)として動作する第１のネットワーク構成要素４０２は、自分が管理する領域から第２のＲＮＣ４０３により管理される領域に一つ以上のＵＥがいつ移動するかを判定する。図８に示されたように、２個のＵＥ４１４、４１５が第１のＲＮＣ４０２により管理される領域から第２のＲＮＣ４０３により管理される領域に移動する。図８には、第１のＲＮＣ４０２により管理される５個のＵＥ４１１〜４１５の中で２個のＵＥ４１４、４１５が第２のＲＮＣ４０３により管理される領域に移動することを図示したが、本発明の方法及び装置は、任意の数のＲＮＣにより管理され、他のＲＮＣにより管理される領域に移動する任意の数のＵＥに適用できる。
【００９１】
第１のＲＮＣ４０２は、移動したＵＥ４１４、４１５が参加したサービスと関連されたリスト情報を伝送する。リスト情報は、移動した特定のＵＥ４１４または４１５が参加した各々のＭＢＭＳを示すＭＢＭＳリスト情報または特定のＭＢＭＳに参加して移動した各々のＵＥ４１４及び／又は４１５を示すＵＥリスト情報である。リスト情報はＭＢＭＳアタッチ要求メッセージの一部として伝送される。
【００９２】
ＭＢＭＳリスト情報によって、移動した特定のＵＥ４１４または４１５が参加したサービスの中で進行中または進行中ではないサービスを識別することができる。一方、ＵＥリスト情報は、移動したＵＥ４１４及び／又は４１５の中でどのＵＥが、例えば、進行中のＭＢＭＳに対してなど、参加した特定のＭＢＭＳの中で一つの特定のＭＢＭＳを受信するかを示すか、または移動したＵＥの中でどのＵＥが、例えば、セッション開始が受信されないＭＢＭＳに対してなど、参加した特定のＭＢＭＳの中で該当特定のＭＢＭＳを受信しないかを示す。
【００９３】
好ましくは、ＭＢＭＳアタッチ要求メッセージは、第２のＲＮＣ４０３により管理されるＲＲＣ接続ＵＥリストをアップデートするためにできるだけ一番短い間隔である伝送時間間隔(ＴＴＩ：Transmission Time Interval)で伝送される。第１のＲＮＣ４０２により管理される領域から移動したＵＥ４１４、４１５に対してドリフトＲＮＣ(ＤＲＮＣ)として動作する第２のＲＮＣ４０３はリスト情報を利用してＭＢＭＳアタッチプロセスを実行する。
【００９４】
ＭＢＭＳリスト情報がＭＢＭＳアタッチ要求メッセージに含まれる場合、ＭＢＭＳアタッチプロセスは特定のＵＥ４１４または４１５に対して表示されたＭＢＭＳの各々に対して実行される。ＵＥリスト情報がＭＢＭＳアタッチ要求メッセージに含まれる場合、ＭＢＭＳアタッチプロセスは特定のＭＢＭＳに対して表示されたＵＥ４１４及び／又は４１５の各々に対して実行される。
【００９５】
第２のＲＮＣ４０３は、ＭＢＭＳアタッチ要求メッセージに含まれたＭＢＭＳリスト情報またはＵＥリスト情報を確認する。ＭＢＭＳリスト情報またはＵＥリスト情報を確認すれば、第２のＲＮＣ４０３は、特定のＵＥ４１４または４１５をＭＢＭＳリスト情報により表示されたＭＢＭＳ各々に対して維持される接続されたＵＥのリストに追加するかまたはＵＥリスト情報により表示されたＵＥ４１４及び／又は４１５を特定のＭＢＭＳに対して維持される接続されたＵＥのリストに追加する。接続されたＵＥのリストは、第２のＲＮＣ４０３のＲＲＣ層をノードＢ４０７または４０８のＲＲＣ層に接続させるＲＲＣ接続モードにあるＵＥを示す。
【００９６】
第１のＲＮＣ４０２により管理される領域から第２のＲＮＣ４０３により管理される領域に移動した一つ以上のＵＥ４１４、４１５が続けて第２のＲＮＣにより管理される領域から第３のＲＮＣ４０４により管理される領域に移動すれば、ＭＢＭＳ分離要求メッセージが第１のＲＮＣから第２のＲＮＣに伝送される。第２のＲＮＣ４０３は、ＭＢＭＳ分離要求メッセージにより表示されるＵＥ４１４及び／又は４１５各々に対してＭＢＭＳ分離プロセスを実行する。
【００９７】
第２のＲＮＣ４０３により実行されるＭＢＭＳ分離プロセスは、各々のＭＢＭＳに対して第２のＲＮＣにより管理される接続されたＵＥのリストからＵＥ４１４及び／又は４１５を除去する。ＭＢＭＳ分離要求メッセージは、ＭＢＭＳアタッチ要求メッセージに含まれた情報に対応する情報を含むことができる。
【００９８】
図１０は、本発明の一実施形態によるＵＴＲＡＮ５００のブロック図である。ＵＴＲＡＮ５００は、一つ以上の無線ネットワークサブシステム(ＲＮＳ：Radio Network Sub-System)５２５を含む。各々のＲＮＳ５２５は、無線ネットワーク制御装置(ＲＮＣ)５２３とそのＲＮＣにより管理される複数のノードＢ(基地局)５２１を含む。ＲＮＣ５２３は、無線リソースの割り当てと管理を担当し、コアネットワーク４に対するアクセスポイントとして動作する。また、ＲＮＣ５２３は、サービングＲＮＣまたはドリフトＲＮＣの機能を実行する。
【００９９】
ノードＢ５２１は、アップリンクを通じて移動体端末２の物理層が伝送した情報を受信し、ダウンリンクを通じて移動体端末にデータを伝送する。ノードＢ５２１は、移動体端末２に対してＵＴＲＡＮ５００のアクセスポイント、または送信器及び受信器として動作する。
【０１００】
上述のように、本発明によれば、サービングＲＮＣは、一つ以上の移動体端末がサービングＲＮＣにより管理される領域からドリフトＲＮＣにより管理される領域に移動するとき、リスト情報を含む一つのＭＢＭＳアタッチ要求メッセージをドリフトＲＮＣに伝送する。リスト情報は、移動前に特定の移動体端末が参加した一つ以上のサービスを示すかまたは特定のサービスに参加した後に移動した移動体端末を示す。ドリフトＲＮＣは、各々の特定の移動体端末に対する多数のサービスまたは各々の特定のサービスに対する多数の移動体端末に対してＭＢＭＳアタッチプロセスを実行する。本発明によると、移動体端末が一つのＲＮＣにより管理される領域から他のＲＮＣにより管理される領域に移動するとき、ＲＮＣの間でメッセージ伝送をシグナリングするだけではなくネットワーク負荷の増加が最小化され、ネットワークの効率性が増加されてネットワークリソースを節減する。
【０１０１】
当業者には、例えば、プロセッサやその他のデータまたはデジタル処理デバイスを単独または外部サポートロジックと組み合わせて使用することにより、本発明の好適な実施形態が容易に具現できることは明らかである。本発明は、ＣＤ−ＲＯＭ、ＲＡＭ、フロッピー（登録商標）ディスク、ハードディスクまたは磁気光ディスクなどの媒体に保存されたコンピュータ可読プログラムとして具現してもよい。
【０１０２】
本明細書では移動体通信に関して記述したが、本発明は無線通信能力を具備するＰＤＡやラップトップコンピュータなどの移動デバイスを使用する任意の無線通信システムにも適用できる。また、本発明の説明において特定用語を使用したが、本発明はＵＭＴＳなどの特定タイプの無線通信システムに限定されない。本発明は、例えば、ＴＤＭＡ、ＣＤＭＡ、ＦＤＭＡ、ＷＣＤＭＡなど異なるエアインターフェース及び／又は物理層を使用するその他の無線通信システムにも適用できる。
【０１０３】
標準プログラミング及び／又は工学技術を利用してソフトウェア、ファームウエア、ハードウェアまたはこれらの任意の組み合わせを生成する方法、装置または製造物を、好ましい実施形態により具現できる。本明細書で使用した“製造物”という用語は、ハードウェアロジック(例えば、集積回路チップ、ＦＰＧＡ(Field Programmable Gate Array)、ＡＳＩＣ(Application Specific Integrated Circuit)など)またはコンピュータ可読媒体(例えば、磁気記録媒体(ハードディスクドライブ、フロッピーディスク、テープなど)、光学式記憶媒体(ＣＤ−ＲＯＭ、光ディスクなど)、揮発性や不揮発性メモリーデバイス(ＥＥＰＲＯＭ、ＲＯＭ、ＰＲＯＭ、ＲＡＭ、ＤＲＡＭ、ＳＲＡＭ、ファームウエア、プログラマブルロジックなど))に具現されるコードまたはロジックを称する。
【０１０４】
コンピュータ判読可能媒体にあるコードは、プロセッサによりアクセスされて実行される。また、好適な実施形態が具現されるコードは伝送媒体を媒介とするかネットワークに対してファイルサーバーからアクセスできる。この場合、コードが具現される製造物は、ネットワーク伝送ライン、無線伝送媒体、空間を経て伝播する信号、無線波、赤外線信号などの伝送媒体を含む。勿論、当業者であれば、本発明の範囲を逸脱しない範囲内で多様に変形でき、製造物は当該技術分野に公知された任意の情報含有媒体を含むことは理解できるべきである。
【０１０５】
図面に図示された論理具現は、特定手順により発生する特定演算である。代案的な具現として、特定論理演算を他の手順により実行するか、変形するかまたは除去することができる。また、上述したロジックに段階を付加することもできる。
【産業上の利用可能性】
【０１０６】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【０１０７】
【図１】従来のＵＭＴＳネットワーク構造を示したブロック図である。
【図２】図１のＵＭＴＳネットワークの一部を示することで、移動体端末がサービングＲＮＣのみを通じてＵＴＲＡＮに接続されることを示すブロック図（Ａ）と図１のＵＭＴＳネットワークの一部を示することで、移動体端末がドリフトＲＮＣとサービングＲＮＣを通じてＵＴＲＡＮに接続されることを示すブロック図（Ｂ）である。
【図３】マルチキャストモードにおいて特定のＭＢＭＳが一つの移動体端末に伝送される従来の伝送を示す図である。
【図４】従来のＭＢＭＳアタッチプロセスを示す図である。
【図５】従来のＭＢＭＳ分離プロセスを示す図である。
【図６】本発明の一実施形態によるＭＢＭＳアタッチプロセスを示す図である。
【図７】本発明の他の実施形態によるＭＢＭＳアタッチプロセスを示す図である。
【図８】本発明の一実施形態によるＭＢＭＳ分離プロセスを示す図である。
【図９】本発明の一実施形態による通信システムを示す図である。
【図１０】本発明の一実施形態によって移動体端末にポイントツーマルチポイントサービスを提供するＵＴＲＡＮを示す図である。
【図１】
2007507972.tif 000003
【図２】
2007507972.tif 000004
【図３】
2007507972.tif 000005
【図４】
2007507972.tif 000006
【図５】
2007507972.tif 000007
【図６】
2007507972.tif 000008
【図７】
2007507972.tif 000009
【図８】
2007507972.tif 000010
【図９】
2007507972.tif 000011
【図１０】
2007507972.tif 000012
【国際調査報告】
2007507972.tif 000013
2007507972.tif 000014
2007507972.tif 000015